(57)【要約】【課題】  着用中に収納空間部内で移動するのを防止することができるワイヤーを提供する。【解決手段】  ブラジャー、ボディスーツ、ガードル、水着等の衣類に用いられるワイヤーＷであって、長手方向に沿って山部１と谷部２が交互に配設された凹凸波形縁部３が、所定長さ範囲Ａにわたって、左右両端縁４，５に形成されている。左右両端縁４，５の２つの凹凸波形縁部３に於ける山部１と山部１が左右対応するように配設され、幅寸法Ｅが大小順次変化するように構成されている。【選択図】  図５
0003113829.tif 000002
【実用新案登録請求の範囲】
【請求項１】
ブラジャー（Ｂ）、ボディスーツ（Ｓ）、ガードル（Ｇ）、水着（Ｍ）等の衣類に用いられるワイヤー（Ｗ）であって、長手方向に沿って山部（１）と谷部（２）が交互に配設された凹凸波形縁部（３）を有することを特徴とするワイヤー。
【請求項２】
ブラジャー（Ｂ）、ボディスーツ（Ｓ）、ガードル（Ｇ）、水着（Ｍ）等の衣類に用いられるワイヤー（Ｗ）であって、長手方向に沿って山部（１）と谷部（２）が交互に配設された凹凸波形縁部（３）を、所定長さ範囲（Ａ）にわたって、左右両端縁（４）（５）に形成し、かつ、該左右両端縁（４）（５）の２つの凹凸波形縁部（３）に於ける上記山部（１）と山部（１）が左右対応するように配設して、幅寸法（Ｅ）が大小順次変化するように構成したことを特徴とするワイヤー。
【請求項３】
ブラジャー（Ｂ）、ボディスーツ（Ｓ）、ガードル（Ｇ）、水着（Ｍ）等の衣類に用いられるワイヤー（Ｗ）であって、長手方向に沿って山部（１）と谷部（２）が交互に配設された凹凸波形縁部（３）を、所定長さ範囲（Ａ）にわたって、左右両端縁（４）（５）に形成し、かつ、該左右両端縁（４）（５）の２つの凹凸波形縁部（３）に於ける上記山部（１）と谷部（２）が左右対応するように配設して、全体を蛇行状に構成したことを特徴とするワイヤー。
【請求項４】
ワイヤー（Ｗ）を収納する細長状収納空間部（Ｋ）を有し、長手方向に沿って山部（１）と谷部（２）が交互に配設された凹凸波形縁部（３）を有するワイヤー（Ｗ）を上記収納空間部（Ｋ）に挿入し、上記凹凸波形縁部（３）の上記谷部（２）に縫製糸（８）が係止して長手方向の上記ワイヤー（Ｗ）の上記収納空間部（Ｋ）内での移動を阻止するように構成したことを特徴とする衣類。
【考案の詳細な説明】
【技術分野】
【０００１】
本考案は、ワイヤー及び衣類に関する。
【背景技術】
【０００２】
一般に、ブラジャー、ボディスーツ、ガードル、水着等の衣類の特定の形状を保持するために、衣類の一部にワイヤーの収納空間部を設け、この収納空間部にワイヤーを収納することが行なわれている（例えば、特許文献１参照）。
【０００３】
しかし、衣類を着用している時に、ワイヤーが収納空間部内で長手方向に移動して、ワイヤーの一端が、収納空間部を形成する布を破って突抜けてしまう虞れがあった。そして、人体に怪我をさせる虞れがあった。
【特許文献１】特開２００２−１３００７号公報
【考案の開示】
【考案が解決しようとする課題】
【０００４】
解決しようとする課題は、ワイヤーが着用中に収納空間部内で移動して、ワイヤーの一端が、収納空間部を形成する布を破って突抜ける点である。
【課題を解決するための手段】
【０００５】
そこで、本考案に係るワイヤーは、ブラジャー、ボディスーツ、ガードル、水着等の衣類に用いられるワイヤーであって、長手方向に沿って山部と谷部が交互に配設された凹凸波形縁部を有するものである。
また、ブラジャー、ボディスーツ、ガードル、水着等の衣類に用いられるワイヤーであって、長手方向に沿って山部と谷部が交互に配設された凹凸波形縁部を、所定長さ範囲にわたって、左右両端縁に形成し、かつ、該左右両端縁の２つの凹凸波形縁部に於ける上記山部と山部が左右対応するように配設して、幅寸法が大小順次変化するように構成したものである。
また、ブラジャー、ボディスーツ、ガードル、水着等の衣類に用いられるワイヤーであって、長手方向に沿って山部と谷部が交互に配設された凹凸波形縁部を、所定長さ範囲にわたって、左右両端縁に形成し、かつ、該左右両端縁の２つの凹凸波形縁部に於ける上記山部と谷部が左右対応するように配設して、全体を蛇行状に構成したものである。
【０００６】
また、本考案に係る衣類は、ワイヤーを収納する細長状収納空間部を有し、長手方向に沿って山部と谷部が交互に配設された凹凸波形縁部を有するワイヤーを上記収納空間部に挿入し、上記凹凸波形縁部の上記谷部に縫製糸が係止して長手方向の上記ワイヤーの上記収納空間部内での移動を阻止するように構成したものである。
【考案の効果】
【０００７】
本考案のワイヤーによれば、着用中に収納空間部内で移動するのを防止することができる。また、本考案の衣類によれば、ワイヤーによって人体に怪我をさせることを防止することができる。
【考案を実施するための最良の形態】
【０００８】
本考案のワイヤーは、図１〜図４に示すようなブラジャーＢ、ボディスーツＳ、ガードルＧ、水着Ｍ等の衣類に用いられる。具体的には、図１〜図４の２点鎖線にて示す収納空間部Ｋに収納される。すなわち、図１に示すように、ブラジャーＢのカップくり、脇ボーンとして、用いられる。また、図２に示すように、ボディスーツＳのカップくり、脇ボーンとして、用いられる。また、図３に示すように、ガードルＧの脇ボーンとして用いられる。また、図４に示すように、水着Ｍのカップくりとして用いられる。
【０００９】
具体的には、図５は、第１の実施の形態を示す。このワイヤーＷは、カップくりとして用いられる略円弧状に形成されている。そして、スチール、ステンレス、その他の金属、プラスチック、複合材等から成る。また、金属から成る場合、表面にコーティングが施されているのが好ましい。
【００１０】
長手方向に沿って山部１と谷部２が交互に配設された凹凸波形縁部３が、所定長さ範囲Ａ───すなわち、全体長さ範囲───にわたって、左右両端縁４，５に形成されている。左右両端縁４，５の２つの凹凸波形縁部３に於ける山部１と山部１が左右対応するように配設して、幅寸法Ｅが大小順次変化するように構成されている。凹凸波形縁部３が後述のように部分的な狭い範囲に形成されている場合と比較して、収納空間部Ｋ内で移動するのをより確実に防止することができる。また、長尺ものを切断して製造することにより、容易に製造することができる。
【００１１】
図６は、第２の実施の形態を示す。凹凸波形縁部３が、カップくりの内側寄りの所定長さ範囲Ａにわたって、左右両端縁４，５に形成されている。凹凸波形縁部３が形成されていない外側の部分９を先に収納空間部Ｋ（図１・図２・図４参照）に挿入することにより、凹凸波形縁部３が全体長さ範囲にわたって形成されている場合と比較して、製造時によりスムーズかつ容易に収納空間部Ｋに挿入することができる。
【００１２】
図７は、第３の実施の形態を示す。凹凸波形縁部３が、カップくりの外側寄りの所定長さ範囲Ａにわたって、左右両端縁４，５に形成されている。凹凸波形縁部３が形成されていない内側の部分10を先に収納空間部Ｋ（図１・図２・図４参照）に挿入することにより、凹凸波形縁部３が全体長さ範囲にわたって形成されている場合と比較して、製造時によりスムーズかつ容易に収納空間部Ｋに挿入することができる。
【００１３】
図８は、第４の実施の形態を示す。凹凸波形縁部３が、カップくりの中央部分の所定長さ範囲Ａにわたって、左右両端縁４，５に形成されている。製造時に外側の部分９と内側の部分10のいずれから収納空間部Ｋ（図１・図２・図４参照）に挿入しても、凹凸波形縁部３が全体長さ範囲にわたって形成されている場合と比較して、よりスムーズかつ容易に挿入することができる。
【００１４】
図９は、第５の実施の形態を示す。長手方向に沿って山部１と谷部２が交互に配設された凹凸波形縁部３が、所定長さ範囲Ａ───すなわち、全体長さ範囲───にわたって、左右両端縁４，５に形成されている。左右両端縁４，５の２つの凹凸波形縁部３に於ける山部１と谷部２が左右対応するように配設され、全体が蛇行状に構成されている。
【００１５】
図10は、第６の実施の形態を示す。凹凸波形縁部３が、カップくりの内側寄りの所定長さ範囲Ａにわたって、左右両端縁４，５に形成されている。
【００１６】
図11は、第７の実施の形態を示す。凹凸波形縁部３が、カップくりの外側寄りの所定長さ範囲Ａにわたって、左右両端縁４，５に形成されている。
【００１７】
図12は、第８の実施の形態を示す。凹凸波形縁部３が、カップくりの中央部分の所定長さ範囲Ａにわたって、左右両端縁４，５に形成されている。
【００１８】
図13・図14は、第９の実施の形態を示す。このワイヤーＷは、全体が直線状に形成されている。そして、左右両端縁４，５の２つの凹凸波形縁部３に於ける山部１と山部１が左右対応するように配設して、幅寸法Ｅが大小順次変化するように構成されている。厚さ寸法ｔが、全体にわたって均一状に形成されている。
【００１９】
図15は、第10の実施の形態を示す。厚さ寸法ｔが、大小順次変化するように構成されている。具体的には、幅寸法Ｅが大きい部位６に於ける厚さ寸法ｔが小さく、かつ、幅寸法Ｅが小さい部位７に於ける厚さ寸法ｔが大きくなるように形成されている。ワイヤーＷが収納空間部Ｋ内で移動するのを、一層確実に防止することができる。
【００２０】
図16は、第11の実施の形態を示す。左右両端縁の２つの凹凸波形縁部３に於ける山部１と谷部２が左右対応するように配設して、全体が蛇行状に構成されている。
【００２１】
次に、本考案の衣類について、説明する。図１〜図４に示すように、ワイヤーＷを収納する細長状収納空間部Ｋを有し、この収納空間部Ｋに、（上述の）本考案のワイヤーＷを収納（挿入）したものである。
【００２２】
具体的には、図１・図17は、第12の実施の形態を示す。この衣類は、全体がブラジャーＢから成る。ワイヤーＷを収納する細長状収納空間部Ｋを有し、長手方向に沿って山部１と谷部２が交互に配設された凹凸波形縁部３を有するワイヤーＷが収納空間部Ｋに挿入されている。そして、図17に示すように、凹凸波形縁部３の谷部２に縫製糸８が係止して長手方向のワイヤーＷの収納空間部Ｋ内での移動を阻止するように構成されている。
【００２３】
ワイヤーＷの最大幅寸法Ｅ1 は、収納空間部Ｋの内幅寸法Ｄの80％以上に設定されている。そして、ワイヤーＷが収納空間部Ｋ内で移動するのを確実に防止することができる。最大幅寸法Ｅ1 が内幅寸法Ｄの80％未満の場合、ワイヤーＷが収納空間部Ｋ内で移動する虞れがある。
【００２４】
図２は、第13の実施の形態を示す。この衣類は、全体がボディスーツＳから成る。
【００２５】
図３は、第14の実施の形態を示す。この衣類は、全体がガードルＧから成る。
【００２６】
図４は、第15の実施の形態を示す。この衣類は、全体が水着Ｍから成る。
【００２７】
なお、本考案は、設計変更可能であって、例えば、第９の実施の形態、第10の実施の形態以外の実施の形態に於ては、厚さ寸法ｔは全体にわたって均一状であっても良いし、厚さ寸法ｔが、大小順次変化するように構成されているも良い。また、全体を直線状（又は蛇行状）に形成するとともに、凹凸波形縁部３を、部分的な所定長さ範囲Ａにわたって、左右両端縁４，５に形成したものとするも良い。
【００２８】
また、本考案の衣類は、ブラジャーＢ、ボディスーツＳ、ガードルＧ、水着Ｍ以外の衣類から成るも良い。例えば、ウエストニッパー、ドレス等から成るも良い。また、本考案の衣類に用いられるワイヤーＷは、本考案のワイヤーＷのいずれであっても良い。さらに、縫製糸８は、省略しても良い。なお、全体形状が蛇行状に構成されている場合（例えば、第５の実施の形態〜第８の実施の形態）に於ける「最大幅寸法Ｅ1 」とは、図９〜図12に示すように、左右両端縁４，５の２つの凹凸波形縁部３に於ける山部１と山部１が左右対応していると仮定した状態の最大幅寸法のことをいうものと定義する。
【００２９】
以上のように、本考案は、ブラジャーＢ、ボディスーツＳ、ガードルＧ、水着Ｍ等の衣類に用いられるワイヤーＷであって、長手方向に沿って山部１と谷部２が交互に配設された凹凸波形縁部３を有するので、着用中に収納空間部Ｋ内で移動するのを防止することができる。すなわち、人体に怪我をさせるのを防止することができる。
【００３０】
また、ブラジャーＢ、ボディスーツＳ、ガードルＧ、水着Ｍ等の衣類に用いられるワイヤーＷであって、長手方向に沿って山部１と谷部２が交互に配設された凹凸波形縁部３を、所定長さ範囲Ａにわたって、左右両端縁４，５に形成し、かつ、該左右両端縁４，５の２つの凹凸波形縁部３に於ける上記山部１と山部１が左右対応するように配設して、幅寸法Ｅが大小順次変化するように構成したので、着用中に収納空間部Ｋ内で移動するのを防止することができる。すなわち、人体に怪我をさせるのを防止することができる。また、凹凸波形縁部３を左右両端縁４，５のうち一方のみに形成する場合と比較して、容易に製造することができる。
【００３１】
また、ブラジャーＢ、ボディスーツＳ、ガードルＧ、水着Ｍ等の衣類に用いられるワイヤーＷであって、長手方向に沿って山部１と谷部２が交互に配設された凹凸波形縁部３を、所定長さ範囲Ａにわたって、左右両端縁４，５に形成し、かつ、該左右両端縁４，５の２つの凹凸波形縁部３に於ける上記山部１と谷部２が左右対応するように配設して、全体を蛇行状に構成したので、着用中に収納空間部Ｋ内で移動するのを防止することができる。すなわち、人体に怪我をさせるのを防止することができる。また、凹凸波形縁部３を左右両端縁４，５のうち一方のみに形成する場合と比較して、容易に製造することができる。
【００３２】
また、ワイヤーＷを収納する細長状収納空間部Ｋを有し、長手方向に沿って山部１と谷部２が交互に配設された凹凸波形縁部３を有するワイヤーＷを上記収納空間部Ｋに挿入し、上記凹凸波形縁部３の上記谷部２に縫製糸８が係止して長手方向の上記ワイヤーＷの上記収納空間部Ｋ内での移動を阻止するように構成したので、ワイヤーＷによって人体に怪我をさせることを確実に防止することができる。特に、縫製糸８にてワイヤーＷを確実に所定位置に保持することにより、ワイヤーＷの移動をより確実に防止することができる。
【図面の簡単な説明】
【００３３】
【図１】本考案の第12の実施の形態を示す正面図である。
【図２】第13の実施の形態を示す斜視図である。
【図３】第14の実施の形態を示す斜視図である。
【図４】第15の実施の形態を示す斜視図である。
【図５】第１の実施の形態を示す正面図である。
【図６】第２の実施の形態を示す正面図である。
【図７】第３の実施の形態を示す正面図である。
【図８】第４の実施の形態を示す正面図である。
【図９】第５の実施の形態を示す正面図である。
【図１０】第６の実施の形態を示す正面図である。
【図１１】第７の実施の形態を示す正面図である。
【図１２】第８の実施の形態を示す正面図である。
【図１３】第９の実施の形態を示す正面図である。
【図１４】断面底面図である。
【図１５】第10の実施の形態を示す断面底面図である。
【図１６】第11の実施の形態を示す正面図である。
【図１７】第12の実施の形態を示す説明用正面図である。
【符号の説明】
【００３４】
１  山部
２  谷部
３  凹凸波形縁部
４  端縁
５  端縁
８  縫製糸
Ａ  所定長さ範囲
Ｂ  ブラジャー
Ｅ  幅寸法
Ｇ  ガードル
Ｋ  収納空間部
Ｍ  水着
Ｓ  ボディスーツ
Ｗ  ワイヤー
【図１】
0003113829.tif 000003
【図２】
0003113829.tif 000004
【図３】
0003113829.tif 000005
【図４】
0003113829.tif 000006
【図５】
0003113829.tif 000007
【図６】
0003113829.tif 000008
【図７】
0003113829.tif 000009
【図８】
0003113829.tif 000010
【図９】
0003113829.tif 000011
【図１０】
0003113829.tif 000012
【図１１】
0003113829.tif 000013
【図１２】
0003113829.tif 000014
【図１３】
0003113829.tif 000015
【図１４】
0003113829.tif 000016
【図１５】
0003113829.tif 000017
【図１６】
0003113829.tif 000018
【図１７】
0003113829.tif 000019